【手続補正書】
【提出日】平成18年6月12日(2006.6.12)
【手続補正１】
【補正対象書類名】明細書
【補正対象項目名】特許請求の範囲
【補正方法】変更
【補正の内容】
【特許請求の範囲】
【請求項１】
アラビノース、リキソース、リボース、トリメチロールプロパン、トリメチロールエタン、ジプロピレングリコール、ジグリセリン、キシリトール、エリスリトール、スレイトール、ペンタエリスリトール及び１，２−ペンタンジオールから選ばれる多価アルコールの１種乃至は２種以上と炭酸アルキレンから選ばれる１種乃至は２種以上とを含有することを特徴とする、毛髪着色用の組成物。
【請求項２】
多価アルコールの含有量が、総量で０．０１〜１０重量％である、請求項１に記載の毛髪着色用の組成物。
【請求項３】
炭酸アルキレンが炭酸エチレン及び／又は炭酸プロピレンであることを特徴とする、請求項１又は２に記載の毛髪着色用の組成物。
【請求項４】
炭酸アルキレンの含有量が、総量で０．０１〜１０重量％である、請求項１〜３の何れか１項に記載の毛髪着色用の組成物。
【請求項５】
更に酸性染料を含有することを特徴とする、請求項１〜４の何れか１項に記載の毛髪着色用の組成物。
【請求項６】
ベンジルアルコールを含まないことを特徴とする、請求項１〜５の何れか１項に記載の毛髪着色用の組成物。
【請求項７】
ヘアマニュキアであることを特徴とする、請求項１〜６の何れか１項に記載の毛髪着色用の組成物。
【手続補正２】
【補正対象書類名】明細書
【補正対象項目名】０００３
【補正方法】変更
【補正の内容】
【０００３】
一方、アラビノース、リキソース、リボース、キシリトール、トリメチロールプロパン
、トリメチロールエタン、ジプロピレングリコール、ジグリセリン、エリスリトール、スレイトール等のエーテル結合を０乃至は１個有する、炭素数４以上の多価アルコールと炭酸エチレンや炭酸プロピレンなどの炭酸アルキレンとを毛髪着色用の組成物に含有させることは全く行われていなかった。
【手続補正３】
【補正対象書類名】明細書
【補正対象項目名】０００５
【補正方法】変更
【補正の内容】
【０００５】
【課題を解決するための手段】
この様な状況に鑑みて、本発明者らは、毛髪着色用の組成物の着色性を改善する手段を求めて、鋭意研究努力を重ねた結果、エーテル結合を０乃至は１個有する、炭素数４以上の特定の多価アルコールと炭酸エチレンや炭酸プロピレンなどの炭酸アルキレンとを毛髪着色用の組成物に含有させることにより、染色性に優れる染毛料や、色味ののりの均一な毛髪用マスカラが製造しうることを見いだし発明を完成させるに至った。即ち、本発明は、以下に示す技術に関するものである。
（１）アラビノース、リキソース、リボース、トリメチロールプロパン、トリメチロールエタン、ジプロピレングリコール、ジグリセリン、キシリトール、エリスリトール、スレイトール、ペンタエリスリトール及び１，２−ペンタンジオールから選ばれる多価アルコールの１種乃至は２種以上と炭酸アルキレンから選ばれる１種乃至は２種以上とを含有することを特徴とする、毛髪着色用の組成物。
（２）多価アルコールの含有量が、総量で０．０１〜１０重量％である、（１）に記載の毛髪着色用の組成物。
（３）炭酸アルキレンが炭酸エチレン及び／又は炭酸プロピレンであることを特徴とする、（１）又は（２）に記載の毛髪着色用の組成物。
（４）炭酸アルキレンの含有量が、総量で０．０１〜１０重量％である、（１）〜（３）の何れか一に記載の毛髪着色用の組成物。
（５）更に酸性染料を含有することを特徴とする、（１）〜（４）の何れか一に記載の毛髪着色用の化粧料。
（６）ベンジルアルコールを含まないことを特徴とする、（１）〜（５）の何れか一に記載の毛髪着色用の組成物。
（７）ヘアマニュキアであることを特徴とする、（１）〜（６）の何れか一に記載の毛髪着色用の組成物。
以下、本発明について、実施の形態を中心に更に詳細に説明を加える。
【手続補正４】
【補正対象書類名】明細書
【補正対象項目名】０００６
【補正方法】変更
【補正の内容】
【０００６】
【発明の実施の形態】
（１）本発明の毛髪着色用の組成物の必須成分である多価アルコール
本発明の毛髪着色用の組成物はエーテル結合を０乃至は１個有する、炭素数４以上の特定の多価アルコールから選ばれる１種乃至は２種以上含有することを特徴とする。この様な多価アルコールは、浸透促進性を有する。この様な多価アルコールとしては、アラビノース、リキソース、リボース、トリメチロールプロパン、トリメチロールエタン、ジプロピレングリコール、ジグリセリン、キシリトール、エリスリトール、スレイトール、ペン
タエリスリトール、１，２−ペンタンジオールが挙げられる。ここで、これらの多価アルコールは光学異性体の存在するものがあるが、この様な場合、本発明に於いてはそれぞれの光学異性体のみを用いることも可能であるし、ラセミ体の形態で用いることもできる。この様な多価アルコールは本発明の毛髪着色用の組成物に於いては、唯１種を含有させることも可能であるし、２種以上組み合わせて含有させることも可能である。本発明の毛髪着色用の組成物に於ける、これら多価アルコールの好ましい含有量は、総量で０．０１〜１０重量％であり、更に好ましくは０．５〜５重量％である。これは、この様な多価アルコールは多すぎても効果が頭打ちになる場合があり、少なすぎると効果が発現しない場合があるからである。

【手続補正５】
【補正対象書類名】明細書
【補正対象項目名】０００８
【補正方法】変更
【補正の内容】
【０００８】
（３）本発明の毛髪着色用の組成物
本発明の毛髪着色用の組成物は、上記のエーテル結合を０乃至は１個有する、炭素数４以上の特定の多価アルコールと炭酸アルキレンとを含有し、毛髪を染料によって染色或いは顔料等によって着色する組成物であり、染料としては、酸性染料或いは酸化染料などが例示できる。これらの内で、好ましいものは、酸性染料を含有する、所謂ヘアマニュキアの形態のものが、その効果発現の著しさから特に好ましく例示できる。従って、上記必須成分である、エーテル結合を０乃至は１個有する、炭素数４以上の特定の多価アルコール類と炭酸アルキレン以外に酸性染料を含有することが特に好ましい。酸性染料としては、化粧料などで使用されているものであれば特段の限定無く使用でき、例えば、橙色２０５号、茶色４０１号、紫色４０１号などが好ましく例示できる。かかる酸性染料の好ましい含有量は、総量で０．０１〜１０重量％であり、更に好ましくは０．０５〜５重量％である。ここで組成物としては、化粧料分類のものでも雑貨分類のものでも何れも良いが、化粧料分類のものに適用するのが好ましい。
【手続補正６】
【補正対象書類名】明細書
【補正対象項目名】００１１
【補正方法】変更
【補正の内容】
【００１１】
＜実施例１＞
以下に示す処方に従って、本発明のヘアマニュキアを作製した。即ち、処方成分を室温にて攪拌可溶化し、ヘアマニュキアを得た。このヘアマニュキアを用いて、白髪の染毛試験を行った。白髪の毛束（１０ｇ）を測色後、へマニュキアで処理し、余分なヘアマニュキアをシャンプーにより除去した後、再び測色し、処理の前後の明度差（ΔＬ値）を算出した。この時、同時に上記本発明の必須成分である多価アルコールを水に置換した対照例１とグリセリンに置換した比較例１とプロピレングリコールに置換した比較例２と従来のベンジルアルコールを使用した参考例１も同様に作製し、同様に試験した。結果を表１に示す。これより、本発明のヘアマニュキアは染毛性に優れることがわかる。これは、本発明のヘアマニュキアの必須成分であるエーテル結合を０乃至は１個有する、炭素数４以上の特定の多価アルコールにより、毛髪中への染料の浸透が促進された為である。又、この様な作用により、従来の浸透促進剤であるベンジルアルコールを用いなくとも、ベンジルアルコール以上に染色性の良い染毛料が得られることが明白である。（表中の成分の単位は重量部を表す。）
【手続補正７】
【補正対象書類名】明細書
【補正対象項目名】００１３
【補正方法】変更
【補正の内容】
【００１３】
＜実施例２＞
実施例１のキシリトールを他の糖類に替えて同様の検討を行った。結果を表２に示す。これより、エーテル結合を０乃至は１個有する、炭素数４以上の特定の多価アルコールであれば本発明の毛髪着色料の必須成分として使用できることがわかる。
【手続補正８】
【補正対象書類名】明細書
【補正対象項目名】００１５
【補正方法】変更
【補正の内容】
【００１５】
＜実施例３＞
実施例１のヘアマニュキアについて、炭酸プロピレンを炭酸エチレンに置換して同様の検討を行った。又、比較例３として、炭酸プロピレンをエタノールに置換したもの及び炭酸プロピレンをキシリトールに置換した比較例４も作製し検討した。結果を表３に示す。これより、炭酸アルキレンであれば同様の効果を示すこと、及び、炭酸アルキレンとエーテル結合を０乃至は１個有する、炭素数４以上の特定の多価アルコールとの相乗作用により優れた染毛作用を発揮していることもわかる。
【手続補正９】
【補正対象書類名】明細書
【補正対象項目名】００１６
【補正方法】変更
【補正の内容】
【００１６】
【表３】
2001302471.tif 000001
【手続補正１０】
【補正対象書類名】明細書
【補正対象項目名】００１９
【補正方法】変更
【補正の内容】
【００１９】
＜実施例５＞
下記に示す処方に従って、酸化型の染毛料を作製した。即ち、イ、ロ、ハ、ニの成分を
それぞれ８０℃に加熱し、イにロを徐々に加え、更にハを、次いでニを加え攪拌冷却して、染毛料１液を得た。同様にして、この染毛料のアラビノースを水に置換した対照例３の染毛料１液とグリセリンに置換した比較例５の染毛料１液も作製した。これらの染毛料１液に５％過酸化水素水を等量染毛料２液として加え、これにより酸化させて、白髪束を染毛したところ、本発明の染毛料は対照例３、比較例５に比較して優れた染毛性を有していた。
イ）
セタノール                              ６ 重量部
ＰＯＥ（２０）セチルエーテル            １ 重量部
ワセリン                              １０ 重量部
ラノリン脂肪酸オクチルドデシル          ２ 重量部
（セチル・フィトステリル）ラノリン      ７ 重量部
ロ）
エチレンジアミン四酢酸塩              ０．５重量部
１，３−ブタンジオール                  ８ 重量部
炭酸プロピレン                        ０．５重量部
アラビノース                          ０．５重量部
塩化アルキルトリメチルアンモニウム      ３ 重量部
モノエタノールアミン                    ５ 重量部
無水亜硫酸ナトリウム                  ０．５重量部
水                                    ４０ 重量部
ハ）
希塩酸                                  ８ 重量部
ニ）
オルトアミノフェノール                ０．７重量部
レゾルシン                            １．１重量部
メチルアミノフェノール                ０．２重量部
パラアミノフェノール                    １ 重量部
エタノール                              ５ 重量部